(57)【要約】      （修正有）【課題】業務用の浄水器を、幅広の固定バンドやまくらを用いることなく縦置きまたは横置き状態で支持することができ、蓋部を配管に取り付けたままでカートリッジ交換を容易に行うことができる業務用浄水器の支持構造を提供する。【解決手段】セラミックフィルターカートリッジを内蔵する浄水器本体１と、給水配管及び浄水取出配管が接続されている蓋部２とからなる業務用浄水器を設置治具により支持する構造である。浄水器本体１または蓋部２の支持手段１３を備えた本体部１１と、その下端を２段階のＬ字型に屈曲させた底部保持部１２とからなる設置治具を用い、底部保持部１２により浄水器本体１の底コーナーを保持させる。【選択図】図８
0003163317.tif 000002
【実用新案登録請求の範囲】
【請求項１】
セラミックフィルターカートリッジを内蔵する浄水器本体と、給水配管及び浄水取出配管が接続されている蓋部とからなる業務用浄水器を設置治具により支持する構造であって、
前記設置治具が、浄水器本体または蓋部の支持手段を備えた本体部と、この本体部の下端を２段階のＬ字型に屈曲させた底部保持部とからなり、この底部保持部により浄水器本体の底コーナーを保持させたことを特徴とする業務用浄水器の支持構造。
【請求項２】
底部保持部の最先端片の長さを、浄水器本体の底部径の１/２以下としたことを特徴とする請求項１記載の業務用浄水器の支持構造。
【請求項３】
本体部の支持手段が、蓋部を固定するための固定金具であることを特徴とする請求項１記載の業務用浄水器の支持構造。
【請求項４】
本体部の支持手段が、浄水器本体を固定するためのバンド金具であることを特徴とする請求項１記載の業務用浄水器の支持構造。
【考案の詳細な説明】
【技術分野】
【０００１】
本考案は、業務用浄水器を厨房内にビルトインする場合などに用いられる業務用浄水器の支持構造に関するものである。
【背景技術】
【０００２】
近年、喫茶店やレストラン等の飲食店では、飲食物の調理のために水道水を店内の厨房に設置した浄水器で更にろ過し、塩素その他の不純物を十分に除去した浄水を使用するところが増えている。一般家庭用の浄水器はシンクの上などに置いて用いることが多いが、このような飲食店で使用される業務用浄水器は、厨房内でできるだけ邪魔にならないよう、シンク下のスペースにビルトインされることが多い。また一般家庭用の浄水器はフレキシブルなゴム製ホースで水道の蛇口に接続されるのが普通であるが、業務用浄水器は金属製の給水配管と浄水取出配管とを浄水器本体の蓋部に連結した構造が普通である。
【０００３】
出願人会社は例えば特許文献１等に示されるようなセラミックフィルターカートリッジを内蔵した浄水器を製造販売しており、耐久性及び浄水性能において市場で高い評価を受けている。そこでこれを業務用浄水器としても使用したいとの要望がある。ところが、このセラミックフィルターカートリッジを内蔵した浄水器を業務用浄水器として用いる場合には、次のような問題があった。
【０００４】
第１に、セラミックフィルターカートリッジを内蔵した浄水器は中空糸フィルターを用いた浄水器よりもかなり重く、かつ業務用ではセラミックフィルターカートリッジの交換を可能とするために、給水配管と浄水取出配管とをともに浄水器の蓋部に接続した構造が採用される。重量があるためにこれらの配管のみにより浄水器を中空に支持させることは困難であり、設置治具に浄水器本体を固定し、この設置治具をシンク下の壁面や床面等に固定する必要がある。
【０００５】
しかしスペースの都合上、図１や図２に示すように浄水器を横置きとせざるを得ない場合があり、この場合には図１のように浄水器本体１の蓋部２とは反対側の端部付近と設置治具３との間にまくら４を介在させて重量を支えるか、あるいは図２のように幅広のバンド５で浄水器本体１を設置治具３に強固に保持させる必要があり、部品点数が増加してコストアップを招く。なお、浄水器本体１の蓋部２の外径が不可避的に大きくなるのは、安全上の規格により耐圧構造とすることが求められており、浄水器本体１の蓋部２とを強固に結合しなければならないためである。
【０００６】
第２に、セラミックフィルターカートリッジを定期的に交換する場合には、浄水器本体１と蓋部２とを分離する必要があるが、給水配管と浄水取出配管とが接続されている蓋部２は半ば固定状態にあるため、先ず設置治具３から浄水器本体１を取り外したうえで蓋部２から分離しなければならない。ところが設置治具３には図３、図４のように縦置きする場合のための底部支持板６が一体的に形成されているため、浄水器本体１を蓋部２から分離することは容易ではなく、特にシンク下の狭いスペースでの作業性が悪いという問題がある。
【先行技術文献】
【特許文献】
【０００７】
【特許文献１】特開２００３−３２６２５２号公報
【考案の概要】
【考案が解決しようとする課題】
【０００８】
そこで、本考案の目的は前記問題を解決し、幅広の固定バンドやまくらを用いることなく、浄水器を縦横いずれの方向にも安定に保持できるうえ、カートリッジ交換も容易に行うことができる業務用浄水器の支持構造を提供することである。
【課題を解決するための手段】
【０００９】
上記課題を解決するためになされた本考案は、セラミックフィルターカートリッジを内蔵する浄水器本体と、給水配管及び浄水取出配管が接続されている蓋部とからなる業務用浄水器を設置治具により支持する構造であって、前記設置治具が、浄水器本体または蓋部の支持手段を備えた本体部と、この本体部の下端を２段階のＬ字型に屈曲させた底部保持部とからなり、この底部保持部により浄水器本体の底コーナーを保持させたことを特徴とするものである。
【００１０】
なお請求項２のように、底部保持部の最先端片の長さを、浄水器本体の底部径の１/２以下とすることが好ましい。
【００１１】
また請求項３のように、本体部の支持手段が、浄水器本体を固定するためのバンド金具あるいは請求項４のように、蓋部を固定するための固定金具であることが好ましい。
【考案の効果】
【００１２】
本考案によれば、設置治具の下端部を２段階のＬ字型に屈曲形成した底部保持部により浄水器本体の底コーナーを保持させたので、浄水器を縦置きできることはもちろん、横置きする場合にもまくらを必要とせずに安定に保持することができる。また幅広の固定バンドを用いる必要もなく、コストダウンを図ることができる。
【００１３】
また本考案においては、底コーナーの底部保持部の最終片の長さを浄水器本体の底部径の１/２以下とすることができるので、金属製の配管が浄水器の蓋部に接続されたままの状態で、浄水器本体の底面部を少し傾けて底コーナーの底部保持部から容易に外すことができる。このため浄水器本体を蓋部から取り外して、セラミックフィルターカートリッジの交換を容易に行うことができる。
【図面の簡単な説明】
【００１４】
【図１】浄水器の横置き支持構造を示す説明図である。
【図２】浄水器の他の横置き支持構造を示す説明図である。
【図３】浄水器の縦置き支持構造を示す説明図である。
【図４】浄水器の他の縦置き支持構造を示す説明図である。
【図５】本考案の第１の実施形態に用いる設置金具を示す斜視図である。
【図６】縦置き状態を示す斜視図である。
【図７】縦置き状態を示す正面図である。
【図８】横置き状態を示す正面図である。
【図９】図８の左側面図である。
【図１０】本考案の第２の実施形態を示す謝し図である。
【図１１】縦置き状態を示す正面図である。
【図１２】横置き状態を示す正面図である。
【図１３】図１２の左側面図である。
【考案を実施するための形態】
【００１５】
以下に本考案の好ましい実施形態を示す。
図５〜図９は本考案の第１の実施形態を示す図である。この第１の実施形態においては、図５に示す形状の設置治具１０を用いて浄水器を支持する。この設置治具１０は、平板状の本体部１１とその下端の底部保持部１２と、本体部１１の上端の支持手段１３とからなるもので、好ましくはステンレスなどの耐食性金属により製作される。なお浄水器は、前述のとおりセラミックフィルターカートリッジを内蔵する浄水器本体１と、給水配管及び浄水取出配管が接続される蓋部２とからなる業務用浄水器である。
【００１６】
設置治具１０の底部保持部１２は、本体部１１の下端を２段階のＬ字型に屈曲させたもので、具体的には本体部１１の下端を直角に折り曲げた第１片１２ａ、さらに直角に折り曲げた第２片１２ｂ、さらに直角に折り曲げた第３片１２ｃとから構成されている。これらの第２片１２ｂと第３片１２ｃとが、浄水器本体１の底コーナー部に密着して支持する。なお底部保持部１２の最先端片である第３片１２ｃの長さは、浄水器本体１の底部径の１/２以下としてある。
【００１７】
また上端の支持手段１３は、この実施形態では浄水器の蓋部２を固定するための固定金具であり、図５に示すように本体部１１に対して直角な平板の中央にＵ字溝１４を形成したものである。図６以下に示すように、このＵ字溝１４に蓋部２から突出している配管接続部２ａ、２ｂを挿しこみ、外側から図示しないナットで締め付けることによって、設置治具１０と蓋部２とを固定することができる。
【００１８】
このような構造の設置治具１０を用いることにより、数ｋｇの重量のある浄水器を、図６、図７に示す縦置き姿勢、あるいは図８、図９に示す横置き姿勢の何れにも安定に支持することができ、横置きの場合にもまくらを用いる必要はない。また、第３片１２ｃの長さを浄水器本体１の底部径の１/２以下としたので、ナットを少し緩めた状態において浄水器本体１の下端部に力を加えて第３片１２ｃから底部を外せば、設置治具１０と浄水器本体１との係合を容易に解除できる。蓋部２は配管に接続されたままであるが、浄水器本体１を蓋部２に対して回転させてロックを解除して引き抜くことができるので、セラミックフィルターカートリッジの交換も容易に行うことができる。
【００１９】
図１０〜図１３は本考案の第２の実施形態を示す図である。この第２の実施形態は前記した第１の実施形態の支持手段１３を、浄水器本体１を固定するためのバンド金具１５に置き換えたものであり、その他の構成は同一である。
【００２０】
このバンド金具１５は、設置治具１０の本体部１１上に溶接またはねじによって固定されたもので、設置治具１０に固定された左右の固定部１６と、この固定部１６にヒンジ１７により開閉自在に連結された可動部１８と、バックル金具１９とからなる。固定部１６と可動部１８とはともに針金製であり、浄水器本体１の外周に密着する形状に円弧状に湾曲されている。
【００２１】
この本考案の第２の実施形態も底部保持部１２の形状は第１の実施形態と同一であり、数ｋｇの重量のある浄水器を、図１０、図１１に示す縦置き姿勢、あるいは図１２、図１３に示す横置き姿勢の何れにも安定に支持することができ、横置きの場合にもまくらを用いる必要はない。また浄水器本体１の底部は底部保持部１２により確実に保持されるので、図２、図３のように幅広のバンドにより強力に固定する必要もない。なおバンド金具１５をこの実施形態のような構造としておけば着脱が容易となるがバンド金具１５はこれに限定されず、例えば金属板製としても差し支えない。
【００２２】
また何れの実施形態の場合にも、浄水器本体１を設置治具１０の本体部１１から第１片１２ａの高さ分だけ離れた位置に保持することができるので、不可避的に大きくなる蓋部２の外径が邪魔になることもない。
【００２３】
以上に説明したように、本考案によれば、セラミックフィルターカートリッジを内蔵する浄水器を、幅広の固定バンドやまくらを用いることなく縦置きまたは横置きすることができる。また、浄水器本体１を蓋部２から容易に外すことができるので、蓋部２を配管に取り付けたままでカートリッジ交換を容易に行うことができる利点がある。
【符号の説明】
【００２４】
１  浄水器本体
２  蓋部
３  設置治具
４  まくら
５  幅広のバンド
６  底部支持板
１０  設置治具
１１  本体部
１２  底部保持部
１３  支持手段
１４  Ｕ字溝
１５  バンド金具
１６  固定部
１７  ヒンジ
１８  可動部
１９  バックル金具
【図４】
0003163317.tif 000003
【図５】
0003163317.tif 000004
【図６】
0003163317.tif 000005
【図７】
0003163317.tif 000006
【図８】
0003163317.tif 000007
【図９】
0003163317.tif 000008
【図１０】
0003163317.tif 000009
【図１１】
0003163317.tif 000010
【図１２】
0003163317.tif 000011
【図１３】
0003163317.tif 000012
【図１】
0003163317.tif 000013
【図２】
0003163317.tif 000014
【図３】
0003163317.tif 000015